(57)【要約】【課題】スライドドア及びワイヤハーネスとしての本来の機能を損なうことなく、ワイヤハーネスの車体内側への露出を防ぐことが可能なスライドドア構造を提供すること。【解決手段】スライドドア構造は、車体１に対して閉位置と開位置との間で移動可能に設けられるスライドドア２と、車体１とスライドドア２との間に配索されるワイヤハーネス１１と、を備える。ワイヤハーネス１１は、車体１に一端が支持されるとともにスライドドア２に他端が支持され、スライドドア２の移動に伴って変形可能である。スライドドア２は、ワイヤハーネス１１の車体内側に位置する開閉可能なカバー３１を有する。カバー３１は、スライドドア２が閉位置にあるときにワイヤハーネス１１の車体内側を覆うように閉じ、スライドドア２が閉位置と開位置との間を移動するときにワイヤハーネス１１の変形を許容するように開く。【選択図】図４
2020045084.tif 000002
【特許請求の範囲】
【請求項１】
車体に対して閉位置と開位置との間で移動可能に設けられるスライドドアと、前記車体と前記スライドドアとの間に配索されるワイヤハーネスと、を備えたスライドドア構造であって、
前記ワイヤハーネスは、
前記車体に一端が支持されるとともに前記スライドドアに他端が支持され、前記スライドドアの移動に伴って変形可能であり、
前記スライドドアは、
前記ワイヤハーネスよりも車体内側に位置する開閉可能なカバーであって、当該スライドドアが前記閉位置にあるときに前記ワイヤハーネスの車体内側を覆うように閉じ、当該スライドドアが前記閉位置と前記開位置との間を移動するときに前記ワイヤハーネスの変形を許容するように開く、ように構成されたカバーを有する、
スライドドア構造。
【請求項２】
請求項１に記載のスライドドア構造において、
前記カバーは、
前記スライドドアの移動方向に延びるように配置される板状体と、前記スライドドアの移動方向に沿った前記板状体の縁部を中心に前記板状体が回転可能であるように前記板状体を支持するヒンジ部と、を有し、
前記スライドドアが前記閉位置から前記開位置へ移動するとき、前記スライドドアの移動に伴って前記スライドドアから離れるように前記スライドドアに対して車体内側に変形する前記ワイヤハーネスが前記カバーを車体内側に押すことで、前記カバーが閉状態から車体内側且つ上方に回動して開状態へと移行し、
前記スライドドアが前記開位置から前記閉位置へ移動するとき、前記スライドドアの移動に伴って前記ワイヤハーネスが前記スライドドアに近づくように前記スライドドアに対して車体外側に変形することで、前記カバーが前記開状態から自重により車体外側且つ下方に回動して閉状態へと移行する、
スライドドア構造。
【請求項３】
請求項２に記載のスライドドア構造において、
前記板状体は、
前記スライドドアの移動方向に交差する断面において前記ワイヤハーネスに向けて凸となる湾曲形状を有している、
スライドドア構造。
【請求項４】
請求項１に記載のスライドドア構造において、
前記カバーは、
前記スライドドアの移動方向に延びるように配置される板状体と、前記スライドドアの移動方向に沿った前記板状体の縁部を中心に前記板状体が回転可能であるように前記板状体を支持するヒンジ部と、を有し、
前記スライドドアは、
前記カバーを閉状態から開状態へ向いた回動方向へ常時付勢する付勢手段と、前記カバーを前記開状態から前記閉状態へと駆動するための駆動部材と、を有し、
前記スライドドアが前記開位置から前記閉位置へ移動するとき、前記スライドドアの移動に伴って前記スライドドアに近づくように前記スライドドアに対して車体外側に変形する前記ワイヤハーネスが前記駆動部材を車体外側に押すことで、前記カバーが前記開状態から前記付勢手段の付勢力に対抗しながら車体外側且つ下方に回動して前記閉状態へと移行し、
前記スライドドアが前記閉位置から前記開位置へ移動するとき、前記スライドドアの移動に伴って前記ワイヤハーネスが前記スライドドアから離れるように前記スライドドアに対して車体内側に変形することで、前記カバーが前記閉状態から前記付勢手段の付勢力により車体内側且つ上方に回動して前記開状態へと移行する、
スライドドア構造。
【請求項５】
請求項４に記載のスライドドア構造において、
前記駆動部材は、前記板状体と一体で回動するように構成された、
スライドドア構造。
【請求項６】
請求項４又は請求項５に記載のスライドドア構造において、
前記駆動部材は、前記スライドドアの移動方向において、前記一端と前記他端との間に延在する前記ワイヤハーネスにおける延在方向中央位置より前記一端寄りの所定箇所が当接可能な領域のみに設けられている、
スライドドア構造。
【請求項７】
請求項２乃至請求項６の何れか一項に記載のスライドドア構造において、
前記カバーは、
前記スライドドアに設けられる内装板の車体内側面よりも車体外側に設けられる、
スライドドア構造。
【発明の詳細な説明】
【技術分野】
【０００１】
本発明は、車体に対して閉位置と開位置との間で移動可能に設けられるスライドドアと、車体とスライドドアとの間に配索されるワイヤハーネスと、を備えたスライドドア構造、に関する。
【背景技術】
【０００２】
従来から、車体とスライドドアとの間に配索されるワイヤハーネスとして、柔軟性を有するコルゲートチューブ等の屈曲可能な外装部材によって外周を保護したワイヤハーネスが知られている（例えば、特許文献１，２を参照。）。
【先行技術文献】
【特許文献】
【０００３】
【特許文献１】特開２０１０−０１７０２５号公報
【特許文献２】特開２０１３−１６２７１６号公報
【発明の概要】
【発明が解決しようとする課題】
【０００４】
ところで、スライドドアが車体への出入口を閉じる閉位置にあるとき、ワイヤハーネスの配索経路によっては、ワイヤハーネスを覆うコルゲートチューブが車体内側に露出する場合がある。この場合、車両の乗員からワイヤハーネスが視認されることでスライドドアの美観が損なわれる可能性がある。また、乗員や積載物などがワイヤハーネスを覆うコルゲートチューブに接触することにより、ワイヤハーネス自体の機能に影響は無くとも、コルゲートチューブが傷付く可能性がある。しかし、ワイヤハーネスの露出を防ぐべくワイヤハーネスをスライドドアの内装板（いわゆるトリム）の車体外側に配索すると、スライドドアの移動に伴うワイヤハーネスの変形が制限され、スライドドア及びワイヤハーネスの本来の機能が損なわれる可能性がある。
【０００５】
本発明は、上述した事情に鑑みてなされたものであり、その目的は、スライドドア及びワイヤハーネスとしての本来の機能を損なうことなくワイヤハーネスの車体内側への露出を防ぐことが可能なスライドドア構造、を提供することにある。
【課題を解決するための手段】
【０００６】
前述した目的を達成するために、本発明に係るスライドドア構造は、下記［１］〜［７］を特徴としている。
［１］
車体に対して閉位置と開位置との間で移動可能に設けられるスライドドアと、前記車体と前記スライドドアとの間に配索されるワイヤハーネスと、を備えたスライドドア構造であって、
前記ワイヤハーネスは、
前記車体に一端が支持されるとともに前記スライドドアに他端が支持され、前記スライドドアの移動に伴って変形可能であり、
前記スライドドアは、
前記ワイヤハーネスよりも車体内側に位置する開閉可能なカバーであって、当該スライドドアが前記閉位置にあるときに前記ワイヤハーネスの車体内側を覆うように閉じ、当該スライドドアが前記閉位置と前記開位置との間を移動するときに前記ワイヤハーネスの変形を許容するように開く、ように構成されたカバーを有する、
スライドドア構造であること。
［２］
上記［１］に記載のスライドドア構造において、
前記カバーは、
前記スライドドアの移動方向に延びるように配置される板状体と、前記スライドドアの移動方向に沿った前記板状体の縁部を中心に前記板状体が回転可能であるように前記板状体を支持するヒンジ部と、を有し、
前記スライドドアが前記閉位置から前記開位置へ移動するとき、前記スライドドアの移動に伴って前記スライドドアから離れるように前記スライドドアに対して車体内側に変形する前記ワイヤハーネスが前記カバーを車体内側に押すことで、前記カバーが閉状態から車体内側且つ上方に回動して開状態へと移行し、
前記スライドドアが前記開位置から前記閉位置へ移動するとき、前記スライドドアの移動に伴って前記ワイヤハーネスが前記スライドドアに近づくように前記スライドドアに対して車体外側に変形することで、前記カバーが前記開状態から自重により車体外側且つ下方に回動して閉状態へと移行する、
スライドドア構造であること。
［３］
上記［２］に記載のスライドドア構造において、
前記板状体は、
前記スライドドアの移動方向に交差する断面において前記ワイヤハーネスに向けて凸となる湾曲形状を有している、
スライドドア構造であること。
［４］
上記［１］に記載のスライドドア構造において、
前記カバーは、
前記スライドドアの移動方向に延びるように配置される板状体と、前記スライドドアの移動方向に沿った前記板状体の縁部を中心に前記板状体が回転可能であるように前記板状体を支持するヒンジ部と、を有し、
前記スライドドアは、
前記カバーを閉状態から開状態へ向いた回動方向へ常時付勢する付勢手段と、前記カバーを前記開状態から前記閉状態へと駆動するための駆動部材と、を有し、
前記スライドドアが前記開位置から前記閉位置へ移動するとき、前記スライドドアの移動に伴って前記スライドドアに近づくように前記スライドドアに対して車体外側に変形する前記ワイヤハーネスが前記駆動部材を車体外側に押すことで、前記カバーが前記開状態から前記付勢手段の付勢力に対抗しながら車体外側且つ下方に回動して前記閉状態へと移行し、
前記スライドドアが前記閉位置から前記開位置へ移動するとき、前記スライドドアの移動に伴って前記ワイヤハーネスが前記スライドドアから離れるように前記スライドドアに対して車体内側に変形することで、前記カバーが前記閉状態から前記付勢手段の付勢力により車体内側且つ上方に回動して前記開状態へと移行する、
スライドドア構造であること。
［５］
上記［４］に記載のスライドドア構造において、
前記駆動部材は、前記板状体と一体で回動するように構成された、
スライドドア構造であること。
［６］
上記［４］又は上記［５］記載のスライドドア構造において、
前記駆動部材は、前記スライドドアの移動方向において、前記一端と前記他端との間に延在する前記ワイヤハーネスにおける延在方向中央位置より前記一端寄りの所定箇所が当接可能な領域のみに設けられている、
スライドドア構造であること。
［７］
上記［２］乃至上記［６］の何れか一項に記載のスライドドア構造において、
前記カバーは、
前記スライドドアに設けられる内装板の車体内側面よりも車体外側に設けられる、
スライドドア構造であること。
【０００７】
上記［１］の構成のスライドドア構造によれば、スライドドアが閉位置にあるとき、カバーによってワイヤハーネスの車室内側が覆われる。よって、ワイヤハーネスの露出が防がれる。一方、スライドドアが閉位置と開位置との間を移動するとき、ワイヤハーネスの変形を妨げることがないようにカバーが開く。よって、ワイヤハーネスの変形の自由度が損なわれることがない。したがって、本構成のスライドドア構造によれば、スライドドア及びワイヤハーネスとしての本来の機能を損なうことなく、ワイヤハーネスの車体内側への露出を防ぐことが可能である。
【０００８】
上記［２］の構成のスライドドア構造によれば、スライドドアが閉位置から開位置へ移動するとき、スライドドアから離れるように変形するワイヤハーネスがカバーを車体内側に押すことで、カバーが閉状態から開状態へと移行し、スライドドアが開位置から閉位置へ移動するとき、ワイヤハーネスがスライドドアに近づくように変形することで、カバーが開状態から自重により閉状態へと移行することによって、カバーの所望の動作を実現することができる。
【０００９】
上記［３］の構成のスライドドア構造によれば、カバーが、ワイヤハーネスに向けて凸となる断面形状を有する。このため、ワイヤハーネスの変形に伴うカバーの開閉がより容易となる。
【００１０】
上記［４］の構成のスライドドア構造によれば、スライドドアが開位置から閉位置へ移動するとき、スライドドアに近づくように変形するワイヤハーネスが駆動部材を車体外側に押すことで、カバーが開状態から閉状態へと移行し、スライドドアが閉位置から開位置へ移動するとき、ワイヤハーネスがスライドドアから離れるように変形することで、カバーが閉状態から付勢手段の付勢力により開状態へと移行することによって、カバーの所望の動作を実現することができる。
【００１１】
上記［５］の構成のスライドドア構造によれば、駆動部材が板状体と一体で回動するように構成されるので、駆動部材が板状体とは別体で設けられる場合と比べて、スライドドア構造をより簡素化できる。
【００１２】
上記［６］の構成のスライドドア構造によれば、駆動部材が、スライドドアの移動方向（即ち、車体前後方向）において、ワイヤハーネスにおける延在方向中央位置より一端寄り（即ち、車体後側）の所定箇所が当接可能な領域のみに設けられる。ここで、スライドドアが閉位置から開位置へ向かって移動する際、ワイヤハーネスにおける延在方向中央位置より一端寄り（即ち、車体後側）の部分が、ワイヤハーネスにおける延在方向中央位置より他端寄り（即ち、車体前側）の部分より先に、スライドドアから離れるように変形する。従って、本構成によれば、スライドドアが閉位置から開位置へ向かって移動を開始した後の早い段階で、カバーを閉状態から開状態へと移行させることができる。
【００１３】
上記［７］の構成のスライドドア構造によれば、スライドドアの内装板の車体内側面よりも車体外側にカバーが配置される。これにより、スライドドアが閉位置にあるとき、カバー自体が更に乗員から視認され難くなるとともに、積載物などがカバーに更に接触し難くなる。よって、ワイヤハーネスの車体内側への露出を更に適正に防ぐことが可能である。
【発明の効果】
【００１４】
本発明によれば、スライドドア及びワイヤハーネスとしての本来の機能を損なうことなく、ワイヤハーネスの車体内側への露出を防ぐことが可能なスライドドア構造を提供できる。
【００１５】
以上、本発明について簡潔に説明した。更に、以下に説明される発明を実施するための形態（以下「実施形態」という。）を添付の図面を参照して通読することにより、本発明の詳細は更に明確化されるであろう。
【図面の簡単な説明】
【００１６】
【図１】図１は、本発明の第１実施形態に係るスライドドア構造を示す図であって、図１（ａ）はスライドドアが閉位置にあるときの概略平面図、図１（ｂ）はスライドドアが半開状態のときの概略平面図、図１（ｃ）はスライドドアが開位置にあるときの概略平面図である。
【図２】図２は、ワイヤハーネスの保護チューブの車体側の端部が接続された車体側給電具の水平方向の断面図である。
【図３】図３は、ワイヤハーネスの保護チューブのスライドドア側の端部が接続されたドア側給電具の水平方向の断面図である。
【図４】図４は、スライドドアに設けられたカバーの周囲を示す図であって、図４（ａ）はスライドドアが閉位置にあるときの斜視図であり、図４（ｂ）はスライドドアが開位置にあるときの斜視図である。
【図５】図５は、図１（ａ）のＡ−Ａ断面の概略図である。
【図６】図６は、図１（ｂ）のＢ−Ｂ断面の概略図である。
【図７】図７は、本発明の第２実施形態に係るスライドドア構造を示す図であって、図７（ａ）〜図７（ｃ）は、それぞれ、図１（ａ）〜図１（ｃ）に対応する図である。
【図８】図８は、図７（ａ）のＡ−Ａ断面の概略図である。
【図９】図９は、図７（ｂ）のＢ−Ｂ断面の概略図である。
【発明を実施するための形態】
【００１７】
以下、図面を参照しながら、本発明の各実施形態に係るスライドドア構造について説明する。
【００１８】
＜第１実施形態の全体構成＞
図１（ａ）〜図１（ｃ）に示すように、本発明の第１実施形態に係るスライドドア構造は、自動車等の車両の車体１に対して閉位置と開位置との間でスライド可能なスライドドア２と、車体１とスライドドア２との間に配索されるワイヤハーネス１１と、を備える。スライドドア２は、車体１に対してスライドされることで、車体１に設けられた昇降口３を開閉する。昇降口３は、車内の前後に配置された座席４の間における車体１の側部に設けられている。
【００１９】
図１（ａ）に示すように、スライドドア２が閉位置に配置されて昇降口３が閉じられた閉状態からスライドドア２が開方向（即ち、図１（ａ）中の矢印Ｘ方向）へスライドされると、図１（ｂ）に示すように、昇降口３が開く。その後、図１（ｃ）に示すように、スライドドア２が開位置に配置されて昇降口３が開かれた開状態とされると、昇降口３の全体が開放される。即ち、図１（ｂ）は、スライドドア２が閉位置と開位置との間の中間位置にある状態（即ち、半開状態）における、スライドドア２及びワイヤハーネス１１等の位置関係を表している。逆に、図１（ｃ）に示すように、スライドドア２が開位置から閉方向Ｂ（図１（ｃ）中の矢印Ｙ方向）へスライドされると、図１（ｂ）に示すように、昇降口３が閉じる。その後、図１（ａ）に示すように、スライドドア２が閉位置に達すると、昇降口３が閉鎖される。
【００２０】
このように、スライドドア２は、開位置と閉位置との間を往復するように移動可能に構成されている。スライドドア２には、このような移動に伴って開閉可能なカバー３１が設けられている。カバー３１は、スライドドア２が閉位置にあるときにワイヤハーネス１１の車体内側を覆うように閉じ、スライドドア２が開位置と閉位置との間を移動する際にワイヤハーネス１１の変形を妨げないように開くようになっている。カバー３１の構成及び動作については、より詳細に後述する。
【００２１】
車体１の昇降口３には、スカッフプレート５が設けられている。スカッフプレート５は本例では、車体１の昇降口３に形成された窪み３ａに設けられている。ワイヤハーネス１１は、本例では、スカッフプレート５の上側に配置されている。但し、ワイヤハーネス１１の配索経路は車体１の形状などに応じて適宜設計されればよく、例えば、ワイヤハーネス１１がスカッフプレート５から車体外側に離れた位置に配置されてもよい。
【００２２】
ワイヤハーネス１１は、スライドドア２に設けられた種々の電装品および補機などへの電力供給や、車体１とスライドドア２との間での各種信号の送受信のために設けられる。ワイヤハーネス１１は、複数本の電線束（図示略）を有している。電線束は、保護チューブ（外装部材）１２に挿通されている。保護チューブ１２としては、例えば、コルゲートチューブやケーブルベア（登録商標）が使用され得る。
【００２３】
車体１には車体側給電具１４が設けられ、スライドドア２にはドア側給電具１６が設けられている。ワイヤハーネス１１の保護チューブ１２は、その一端が車体側給電具１４に接続され、その他端がドア側給電具１６に接続されている。
【００２４】
図２は、ワイヤハーネス１１の保護チューブ１２の車体側の端部が接続された車体側給電具１４の水平方向の断面図である。図３は、ワイヤハーネス１１の保護チューブ１２のスライドドア側の端部が接続されたドア側給電具１６の水平方向の断面図である。
【００２５】
図２に示すように、車体側給電具１４は、車体１に固定されたアウタ部材２１と、アウタ部材２１に水平方向に回動自在（首振り可能）に支持され且つワイヤハーネス１１の保護チューブ１２の端部を支持したインナ部材２２と、を含んでいる。アウタ部材２１及びインナ部材２２により、車体側給電具１４は、インナ部材２２の軸２２ａを中心に保護チューブ１２を水平方向に回動自在（首振り可能）に支持するようになっている。アウタ部材２１は、回動規制壁２１ａ，２１ｂを有している。インナ部材２２は、回動規制壁２１ａ，２１ｂに当接することにより、回動範囲が規制される。
【００２６】
図３に示すように、ドア側給電具１６は、スライドドア２のインナパネルに固定されたアウタ部材２５と、アウタ部材２５に水平方向に回動自在（首振り可能）に支持され且つワイヤハーネス１１の保護チューブ１２の端部を支持したインナ部材２６と、を含む。アウタ部材２５とインナ部材２６により、ドア側給電具１６は、インナ部材２６の軸２６ａを中心に保護チューブ１２を水平方向に回動自在（首振り可能）に支持するようになっている。アウタ部材２５は、回動規制壁２５ａを有している。インナ部材２６は、回動規制壁２５ａに当接することにより、回動範囲が規制される。更に、本例では、ドア側給電具１６は、インナ部材２６をスライドドア２の開方向（即ち、図１（ａ）中の矢印Ｘ方向）且つドア側に向けて付勢するばね部材２７を備えている。
【００２７】
スライドドア２が開閉されると、ワイヤハーネス１１の保護チューブ１２の動きに合わせ、保護チューブ１２の端部が接続されているインナ部材２２，２６が回動する。これにより、スライドドア２の開閉時におけるワイヤハーネス１１の端部での過剰な屈曲が抑えられる。
【００２８】
＜第１実施形態におけるカバーの構成及び動作＞
次いで、図４〜図６を参照しながら、スライドドア２に設けられたカバー３１の構成及び動作について説明する。
【００２９】
図４〜図６に示すように、スライドドア２のドアインナパネル８（図５及び図６参照）の車体内側に、スライドドア２の内装板６（いわゆるトリム）が設けられている。内装板６の下端縁近傍には、車体外側に窪み且つ車体前後方向に延びるように設けられた凹部７が設けられている。カバー３１は、この凹部７の溝内に配置されることで、スライドドア２が閉位置にあるときに内装板６の車体内側面よりも車体外側に位置するようになっている。
【００３０】
図５及び図６に示すように、樹脂製のカバー３１は、車体前後方向に延びる内装板６の凹部７内にて車体前後方向に延びるように配置された板状体３２と、板状体３２の上端縁部を中心に回動可能に板状体３２を凹部７の上方内壁に対して支持するヒンジ部３３と、を有する。板状体３２は、車体幅方向に沿う断面において、ワイヤハーネス１１に向けて凸となる（即ち、車両外側に膨らんだ）湾曲形状を有している。カバー３１（板状体３２）の下端面（ヒンジ部３３と反対側の端面）における車体後側端部及び車体前側端部にはそれぞれ、テーパ面３１ａ及びテーパ面３１ｂが形成されている（図１（ｂ）及び図４参照）。
【００３１】
図４（ａ）及び図５に示すように、スライドドア２が閉位置にあるときには、カバー３１（即ち、板状体３２）は、ワイヤハーネス１１の車体内側に位置し、自重により閉状態に維持される（図１（ａ）も参照）。これにより、ワイヤハーネス１１の車体内側がカバー３１により覆われることで、ワイヤハーネス１１の露出が防がれる。
【００３２】
更に、カバー３１の閉状態では、カバー３１は、上述したように、内装板６の車体内側面よりも車体外側に設けられている。この結果、カバー３１自体が乗員から視認され難くなるとともに、積載物などがカバー３１に接触し難くなる。
【００３３】
図４（ａ）及び図５に示す状態から、スライドドア２が開位置に向けて移動すると、図４（ｂ）に示すように、スライドドア２の移動に伴ってワイヤハーネス１１がスライドドア２から離れる向き（車体内側）に変形する。この変形により、ワイヤハーネス１１がカバー３１を車体内側に押す（図１（ｂ）も参照）。この押圧力により、カバー３１は、図６に示すように、ワイヤハーネス１１の変形を許容するように車体内側かつ上方に回動して開状態となる。その際、カバー３１の開方向への回動途中の段階では、ワイヤハーネス１１がカバー３１のテーパ面３１ａ上を滑りながら移動することで、テーパ面３１ａが設けられていない場合と比べて、カバー３１の開方向への回動動作がスムーズになされ得る。
【００３４】
スライドドア２が開位置に到達した段階では、図１（ｃ）に示すように、ワイヤハーネス１１がスライドドア２に近づく向き（車体外側）に変形して、ワイヤハーネス１１がスライドドア２の内装板６の凹部７の内部に移動しているので、上述した押圧力がなくなり、カバー３１は、自重により車体外側かつ下方に回動して閉状態となっている。カバー３１の閉方向への回動途中の段階では、ワイヤハーネス１１がカバー３１のテーパ面３１ｂ上を滑りながら移動することで、テーパ面３１ｂが設けられていない場合と比べて、カバー３１の閉方向への回動動作がスムーズになされ得る。なお、ワイヤハーネス１１が図１（ｂ）に示すように湾曲しているため、図６に示す断面図にはワイヤハーネス１１の断面が２箇所に図示されている。
【００３５】
逆に、スライドドア２が開位置（即ち、カバー３１が閉状態）から閉位置に向けて移動すると、先ず、スライドドア２の移動に伴ってワイヤハーネス１１がスライドドア２から離れる向き（車体内側）に変形してカバー３１が開状態となる。その後、スライドドア２の移動に伴ってワイヤハーネス１１がスライドドア２に近づく向き（車体外側）に変形して、ワイヤハーネス１１がスライドドア２の内装板６の凹部７の内部に移動することで、カバー３１は、自重により回動して閉状態に戻る。
【００３６】
このように、カバー３１は、スライドドア２が閉位置にあるときには、ワイヤハーネス１１の車体内側を覆うように閉じており、スライドドア２が閉位置と開位置との間を移動するときにワイヤハーネス１１の変形を許容するように開く。本例では、カバー３１がワイヤハーネス１１に向けて凸となる（換言すると、車両外側に膨らんだ）断面形状を有している。そのため、カバー３１がワイヤハーネス１１から離れる向きに凸となる（換言すると、車両内側に膨らんだ）断面形状を有する場合やカバー３１が平らな形状を有する場合と比べ、カバー３１とワイヤハーネス１１とが滑らかに摺動する。よって、カバー３１の開閉がより容易となる。
【００３７】
以上、本発明の第１実施形態に係るスライドドア構造によれば、スライドドア２が閉位置にあるとき、カバー３１によってワイヤハーネス１１の車室内側が覆われる。よって、ワイヤハーネス１１の露出が防がれる。一方、スライドドア２が閉位置と開位置との間を移動するとき、ワイヤハーネス１１の変形を妨げることがないようにカバー３１が開く。よって、ワイヤハーネス１１の変形の自由度が損なわれることがない。したがって、本構成のスライドドア構造によれば、スライドドア２及びワイヤハーネス１１としての本来の機能を損なうことなく、ワイヤハーネス１１の車体内側への露出を防ぐことが可能である。
【００３８】
更に、第１実施形態に係るスライドドア構造によれば、スライドドア２が閉位置から開位置へ移動するとき、スライドドア２から離れるように変形するワイヤハーネス１１がカバー３１を車体内側に押すことで、カバー３１が閉状態から開状態へと移行し、スライドドア２が開位置から閉位置へ移動するとき、ワイヤハーネス１１がスライドドア２に近づくように変形することで、カバー３１が開状態から自重により閉状態へと移行することによって、カバー３１の所望の動作を実現することができる。
【００３９】
更に、第１実施形態に係るスライドドア構造によれば、カバー３１が、ワイヤハーネス１１に向けて凸となる断面形状を有する。このため、ワイヤハーネス１１の変形に伴うカバー３１の開閉がより容易となる。
【００４０】
更に、第１実施形態に係るスライドドア構造によれば、スライドドア２の内装板６の車体内側面よりも車体外側にカバー３１が配置される。これにより、スライドドア２が閉位置にあるとき、カバー３１自体が乗員から視認され難くなるとともに、積載物などがカバー３１に接触し難くなる。よって、ワイヤハーネス１１の車体内側への露出をより適正に防ぐことが可能である。
【００４１】
＜第２実施形態の全体構成＞
次に、図７〜図９を参照しながら、本発明の第２実施形態に係るスライドドア構造について説明する。第２実施形態は、スプリング４１（図８及び図９参照）と、駆動部材４２（図７〜図９参照）と、を更に備える点、カバー３１が、ワイヤハーネス１１から離れる側に向けて凸となる（車両内側に膨らんだ）断面形状を有している点、及び、カバー３１にテーパ面３１ａ、３１ｂが設けられていない点においてのみ、上記第１実施形態と異なる。以下、スプリング４１及び駆動部材４２について説明する。
【００４２】
スプリング４１は、カバー３１及び内装板６の双方に係合するように設けられ、カバー３１を閉状態から開状態へ向いた回動方向へ常時付勢する機能を有している。スプリング４１の構成としては、カバー３１を閉状態から開状態へ向いた回動方向へ常時付勢する機能を有する限りにおいて、どのような構成が採用されてもよい。
【００４３】
駆動部材４２は、カバー３１を開状態から閉状態へと駆動するためにワイヤハーネス１１により車体外側に押圧される部材である。駆動部材４２は、図７〜図９（特に、図８及び図９）に示すように、車体前後方向に延びる平板状の形状を有しており、板状体３２に対して所定の回動角度だけ車体外側に移動（回動）した位置にて板状体３２と一体で回動するように、カバー３１に一体に設けられている。
【００４４】
駆動部材４２は、図７（ａ）に示すように、車体前後方向において、スライドドア２が閉位置にあるときのワイヤハーネス１１における延在方向中央位置より車体後側寄りの所定箇所が当接可能な領域のみに設けられている。本例では、駆動部材４２は、車体前後方向に延びる板状体３２における車体後側端部の近傍領域のみに設けられている。
【００４５】
図８に示すように、スライドドア２が閉位置にあるときには、ワイヤハーネス１１がスプリング４１の付勢力に対抗して駆動部材４２を車体外側に押圧することで、カバー３１（即ち、板状体３２）は、ワイヤハーネス１１の車体内側に位置し、閉状態に維持される（図７（ａ）も参照）。これにより、ワイヤハーネス１１の車体内側がカバー３１により覆われることで、ワイヤハーネス１１の露出が防がれる。
【００４６】
更に、カバー３１の閉状態では、カバー３１は、上述したように、内装板６の車体内側面よりも車体外側に設けられている。この結果、カバー３１自体が乗員から視認され難くなるとともに、積載物などがカバー３１に接触し難くなる。
【００４７】
図８に示す状態から、スライドドア２が開位置に向けて移動すると、スライドドア２の移動に伴ってワイヤハーネス１１がスライドドア２から離れる向き（車体内側）に変形する。この変形により、ワイヤハーネス１１による駆動部材４２への押圧が解除される。この結果、カバー３１は、図９に示すように、スプリング４１の付勢力により、車体内側かつ上方に回動して開状態となる。カバー３１の開状態は、図７（ｃ）に示すように、スライドドア２が開位置にある状態においても維持される。なお、ワイヤハーネス１１が図７（ｂ）に示すように湾曲しているため、図９に示す断面図にはワイヤハーネス１１の断面が２箇所に図示されている。
【００４８】
逆に、スライドドア２が開位置（即ち、カバー３１が開状態）から閉位置に向けて移動すると、スライドドア２の移動に伴ってワイヤハーネス１１がスライドドア２に近づく向き（車体外側）に変形する。この変形により、ワイヤハーネス１１自身がスライドドア２の内装板６の凹部７の内部に移動する。このワイヤハーネス１１の凹部７内への移動に伴って、ワイヤハーネス１１がスプリング４１の付勢力に対抗しながら駆動部材４２を車体外側に押圧することで、カバー３１は、車体外側かつ下方に回動して閉状態に戻る。スライドドア２が閉位置に戻ると、カバー３１も閉状態に戻る。
【００４９】
このように、カバー３１は、スライドドア２が閉位置にあるときには、ワイヤハーネス１１の車体内側を覆うように閉じており、スライドドア２が閉位置と開位置との間を移動するときにワイヤハーネス１１の変形を許容するように開く。
【００５０】
以上、本発明の第２実施形態に係るスライドドア構造によれば、スライドドア２が開位置から閉位置へ移動するとき、スライドドア２に近づくように変形するワイヤハーネス１１が駆動部材４２を車体外側に押すことで、カバー３１が開状態から閉状態へと移行し、スライドドア２が閉位置から開位置へ移動するとき、ワイヤハーネス１１がスライドドア２から離れるように変形することで、カバー３１が閉状態からスプリング４１の付勢力により開状態へと移行することによって、カバー３１の所望の動作を実現することができる。
【００５１】
更に、第２実施形態に係るスライドドア構造によれば、駆動部材４２が板状体３２と一体で回動するように構成されるので、駆動部材４２が板状体３２とは別体で設けられる場合と比べて、スライドドア構造をより簡素化できる。
【００５２】
更に、第２実施形態に係るスライドドア構造によれば、駆動部材４２が、車体前後方向において、スライドドア２が閉位置にあるときのワイヤハーネス１１における延在方向中央位置より車体後側の所定箇所が当接可能な領域のみに設けられる。ここで、スライドドア２が閉位置から開位置へ向かって移動する際、スライドドア２における車体後側の部分が、スライドドア２における車体前側の部分より先に、車体１に対して車体外側に移動する。このため、ワイヤハーネス１１における延在方向中央位置より車体後側の部分が、ワイヤハーネス１１における延在方向中央位置より車体前側の部分より先に、スライドドア２から離れるように変形する。従って、本構成によれば、スライドドア２が閉位置から開位置へ向かって移動を開始した後の早い段階で、カバーを３１閉状態から開状態へと移行させることができる。
【００５３】
更に、第２実施形態に係るスライドドア構造によれば、スライドドア２の内装板６の車体内側面よりも車体外側にカバー３１が配置される。これにより、スライドドア２が閉位置にあるとき、カバー３１自体が乗員から視認され難くなるとともに、積載物などがカバー３１に接触し難くなる。よって、ワイヤハーネス１１の車体内側への露出をより適正に防ぐことが可能である。
【００５４】
＜他の態様＞
なお、本発明は上記各実施形態に限定されることはなく、本発明の範囲内において種々の変形例を採用できる。例えば、本発明は、上述した各実施形態に限定されるものではなく、適宜、変形、改良、等が可能である。その他、上述した各実施形態における各構成要素の材質、形状、寸法、数、配置箇所、等は本発明を達成できるものであれば任意であり、限定されない。
【００５５】
例えば、上記第１実施形態では、カバー３１が、ワイヤハーネス１１に向けて凸となる（車両外側に膨らんだ）湾曲した断面形状を有している。しかし、カバー３１は、ワイヤハーネス１１に向けて凸となるように折れ曲がった断面形状を有してもよい。また、カバー３１が、ワイヤハーネス１１から離れる側に向けて凸となる（車両内側に膨らんだ）断面形状を有しても、カバー３１が平板状の形状を有してもよい。同様に、上記第２実施形態では、カバー３１が、ワイヤハーネス１１から離れる側に向けて凸となる（車両内側に膨らんだ）湾曲した断面形状を有している。しかし、カバー３１は、ワイヤハーネス１１から離れる側に向けて凸となるように折れ曲がった断面形状を有してもよい。また、カバー３１が、ワイヤハーネス１１に向けて凸となる（車両外側に膨らんだ）断面形状を有しても、カバー３１が平板状の形状を有してもよい。
【００５６】
更に、上記第１実施形態では、カバー３１にテーパ面３１ａ，３１ｂが設けられ、上記第２実施形態では、カバー３１にテーパ面３１ａ，３１ｂが設けられていない。しかし、上記第１実施形態にはカバー３１にテーパ面３１ａ，３１ｂが設けられず、上記第２実施形態にはカバー３１にテーパ面３１ａ，３１ｂが設けられていてもよい。
【００５７】
更に、上記第２実施形態では、駆動部材４２が車体前後方向に延びる平板状の形状を有している。しかし、駆動部材４２は、ワイヤハーネス１１に向けて凸となる（車両外側に膨らんだ）湾曲した断面形状を有していてもよいし、ワイヤハーネス１１から離れる側に向けて凸となる（車両内側に膨らんだ）断面形状を有していてもよい。
【００５８】
更に、上記第２実施形態では、駆動部材４２は、板状体３２に対して所定の回動角度だけ車体外側に移動した位置にて板状体３２と一体で回動するように、カバー３１に一体に設けられている。しかし、駆動部材４２は、カバー３１を開状態から前記閉状態へと駆動するためにワイヤハーネス１１により車体外側に押圧される機能を発揮し得る限りにおいて、カバー３１とは別体に設けられて板状体３２と一体に回動しなくてもよい。
【００５９】
更に、上記各実施形態では、カバー３１において、板状体３２とヒンジ部３３とは別部材で構成され、且つ、ヒンジ部３３が内装板６の凹部７内（凹部７の上方内壁）に設けられている。しかし、カバー３１が凹部７を塞ぐように、板状体３２の上端部を凹部７の僅かに上方に位置する内装板６の車体内側面上に所定の固定具により固定すると共に、板状体３２の上端部より僅かに下方に設けられた板状体３２の薄肉部（車体前後方向に延びる薄肉部）をヒンジとして機能させてもよい。
【００６０】
ここで、上述した本発明に係るスライドドア構造の実施形態の特徴をそれぞれ以下［１］〜［７］に簡潔に纏めて列記する。
［１］
車体（１）に対して閉位置と開位置との間で移動可能に設けられるスライドドア（２）と、前記車体（１）と前記スライドドア（２）との間に配索されるワイヤハーネス（１１）と、を備えたスライドドア構造であって、
前記ワイヤハーネス（１１）は、
前記車体（１）に一端が支持されるとともに前記スライドドア（２）に他端が支持され、前記スライドドア（２）の移動に伴って変形可能であり、
前記スライドドア（２）は、
前記ワイヤハーネス（１１）よりも車体内側に位置する開閉可能なカバー（３１）であって、当該スライドドア（２）が前記閉位置にあるときに前記ワイヤハーネス（１１）の車体内側を覆うように閉じ、当該スライドドア（２）が前記閉位置と前記開位置との間を移動するときに前記ワイヤハーネス（１１）の変形を許容するように開く、ように構成されたカバー（３１）を有する、
スライドドア構造。
［２］
上記［１］に記載のスライドドア構造において、
前記カバー（３１）は、
前記スライドドア（２）の移動方向に延びるように配置される板状体（３２）と、前記スライドドア（２）の移動方向に沿った前記板状体（３２）の縁部を中心に前記板状体（３２）が回転可能であるように前記板状体（３２）を支持するヒンジ部（３３）と、を有し、
前記スライドドア（２）が前記閉位置から前記開位置へ移動するとき、前記スライドドア（２）の移動に伴って前記スライドドア（２）から離れるように前記スライドドア（２）に対して車体内側に変形する前記ワイヤハーネス（１１）が前記カバー（３１）を車体内側に押すことで、前記カバー（３１）が閉状態から車体内側且つ上方に回動して開状態へと移行し、
前記スライドドア（２）が前記開位置から前記閉位置へ移動するとき、前記スライドドア（２）の移動に伴って前記ワイヤハーネス（１１）が前記スライドドア（２）に近づくように前記スライドドア（２）に対して車体外側に変形することで、前記カバー（３１）が前記開状態から自重により車体外側且つ下方に回動して閉状態へと移行する、
スライドドア構造。
［３］
上記［２］に記載のスライドドア構造において、
前記板状体（３２）は、
前記スライドドア（２）の移動方向に交差する断面において前記ワイヤハーネス（１１）に向けて凸となる湾曲形状を有している、
スライドドア構造。
［４］
上記［１］に記載のスライドドア構造において、
前記カバー（３１）は、
前記スライドドア（２）の移動方向に延びるように配置される板状体（３２）と、前記スライドドア（２）の移動方向に沿った前記板状体（３２）の縁部を中心に前記板状体（３２）が回転可能であるように前記板状体（３２）を支持するヒンジ部（３３）と、を有し、
前記スライドドア（２）は、
前記カバー（３１）を閉状態から開状態へ向いた回動方向へ常時付勢する付勢手段（４１）と、前記カバー（３１）を前記開状態から前記閉状態へと駆動するための駆動部材（４２）と、を有し、
前記スライドドア（２）が前記開位置から前記閉位置へ移動するとき、前記スライドドア（２）の移動に伴って前記スライドドア（２）に近づくように前記スライドドア（２）に対して車体外側に変形する前記ワイヤハーネス（１１）が前記駆動部材（４２）を車体外側に押すことで、前記カバー（３１）が前記開状態から前記付勢手段（４１）の付勢力に対抗しながら車体外側且つ下方に回動して前記閉状態へと移行し、
前記スライドドア（２）が前記閉位置から前記開位置へ移動するとき、前記スライドドア（２）の移動に伴って前記ワイヤハーネス（１１）が前記スライドドア（２）から離れるように前記スライドドア（２）に対して車体内側に変形することで、前記カバー（３１）が前記閉状態から前記付勢手段（４１）の付勢力により車体内側且つ上方に回動して前記開状態へと移行する、
スライドドア構造。
［５］
上記［４］に記載のスライドドア構造において、
前記駆動部材（４２）は、前記板状体（３２）と一体で回動するように構成された、
スライドドア構造。
［６］
上記［４］又は上記［５］記載のスライドドア構造において、
前記駆動部材（４２）は、前記スライドドア（２）の移動方向において、前記一端と前記他端との間に延在する前記ワイヤハーネス（１１）における延在方向中央位置より前記一端寄りの所定箇所が当接可能な領域のみに設けられている、
スライドドア構造。
［７］
上記［２］乃至上記［６］の何れか一項に記載のスライドドア構造において、
前記カバー（３１）は、
前記スライドドア（２）に設けられる内装板（６）の車体内側面よりも車体外側に設けられる、
スライドドア構造。
【符号の説明】
【００６１】
１      車体
２      スライドドア
６      内装板
１１    ワイヤハーネス
３１    カバー
３２    板状体
３３    ヒンジ部
４１    スプリング（付勢手段）
４２    駆動部材
【図１】
2020045084.tif 000003
【図２】
2020045084.tif 000004
【図３】
2020045084.tif 000005
【図４】
2020045084.tif 000006
【図５】
2020045084.tif 000007
【図６】
2020045084.tif 000008
【図７】
2020045084.tif 000009
【図８】
2020045084.tif 000010
【図９】
2020045084.tif 000011